(57)【要約】【課題】排ガス中のダイオキシン類の排出をより簡易に制御可能な廃棄物焼却システムを提供する。【解決手段】集塵手段と、該集塵手段の上流側に設けられた処理剤を供給する処理剤供給手段と、排ガス中の塩化水素濃度を連続的に測定する塩化水素濃度測定手段と、処理剤の供給を制御する処理剤供給制御手段と、を備える廃棄物焼却システムにおいて、処理剤は排ガス中のダイオキシン類を吸着させる機能を有する吸着剤を含み、処理剤供給制御手段は、塩化水素濃度の平均値に基づいて処理剤の供給期間を制御することを特徴とする廃棄物焼却システム。【選択図】図１
2020179353.tif 000002
【特許請求の範囲】
【請求項１】
集塵手段と、該集塵手段の上流側に設けられた処理剤を供給する処理剤供給手段と、排ガス中の塩化水素濃度を連続的に測定する塩化水素濃度測定手段と、前記処理剤の供給を制御する処理剤供給制御手段と、を備える廃棄物焼却システムにおいて、
前記処理剤は前記排ガス中のダイオキシン類を吸着させる機能を有する吸着剤を含み
前記処理剤供給制御手段は、前記塩化水素濃度の平均値に基づいて前記処理剤が増量される期間を制御することを特徴とする廃棄物焼却システム。
【請求項２】
前記処理剤供給制御手段は、前記平均値が塩化水素濃度の平均値上限を超えた場合に、前記処理剤を増量することを特徴とする請求項１記載の廃棄物焼却システム。
【請求項３】
前記処理剤が増量される期間は、前記平均値とダイオキシン類濃度とに基づき予め定められることを特徴とする請求項１および請求項２記載の廃棄物焼却システム。
【請求項４】
前記処理剤が増量される期間は、前記平均値とダイオキシン類濃度との相関に基づき予め定められることを特徴とする請求項１乃至請求項３記載の廃棄物焼却システム。
【請求項５】
前記相関は、前記平均値と排ガス中またはばいじん中の少なくとも一方のダイオキシン類濃度との相関に基づくものであることを特徴する請求項４記載の廃棄物焼却システム。
【請求項６】
前記平均値は、３０分以上３日以下の塩化水素濃度の測定データの平均値であることを特徴とする請求項１乃至請求項５記載の廃棄物焼却システム。
【発明の詳細な説明】
【技術分野】
【０００１】
本発明は、廃棄物焼却システムに関する。
【背景技術】
【０００２】
ダイオキシン類対策特別措置法に基づき、平成１４年１２月１日より全ての廃棄物焼却システムに施設規模に応じて排ガス中のダイオキシン類濃度の排出基準が課せられた。ダイオキシン類等の有害物質の発生を抑制するため、各廃棄物焼却システムでは高温燃焼状態を保ち、焼却後は速やかに減温処理することで、ダイオキシン類の合成を抑える等の措置が取られている。万一、減温処理過程において、ダイオキシン類が再合成された場合には、燃焼により発生する塩化水素などの酸性ガスを中和するための中和剤（消石灰等のアルカリ薬剤）と合わせて、ダイオキシン類等を吸着させる機能を有する吸着剤（活性炭等）が処理剤として集塵手段の上流側から供給される。これにより集塵手段において、塩化水素は中和剤により中和され、ダイオキシン類は吸着剤に吸着される。最終的には、塩化水素とダイオキシン類は、ばいじんとして回収されることにより、塩化水素とダイオキシン類の大気中への排出が抑えられる。
【０００３】
通常、各廃棄物焼却システムでは予め焼却物の搬入基準値が設けられており、その範囲内においては、一定量の処理剤が常時供給されることで有害物質の発生が制御されている。ところが、予期せず想定外の焼却物が混入した場合には、処理剤の供給量を増やす必要がある。
【０００４】
この処理剤の供給量を調整するためには、排ガス中の有害物質を常時監視することが必要となる。例えば塩化水素については、レーザー式ガス分析計を用いて常時監視が可能であり、かつ精度よく検出できる。しかし、ダイオキシン類は微量物質であって常時直接的に検出することは困難である。
非特許文献１には、排ガス中のダイオキシン類の常時監視方法の例が記載されている。非特許文献１に示されているように、廃棄物焼却システムにおいて現在常時監視することが義務付けられている一酸化炭素及び塩化水素の濃度と、ダイオキシン類の濃度との間には高い相関は見られない。そのため、塩化ベンゼンや塩化フェノール等のダイオキシン類前駆物質の中で常時測定可能なものを分析機器を用いて測定するか、或いは、ダイオキシン類を２週間から１ヶ月間もの長期間サンプリングしてその試料を定量分析する方法などが開発され実用化されている。
【先行技術文献】
【非特許文献】
【０００５】
【非特許文献１】堀江宥治著、月刊資源環境対策２００３年１１月号「排ガス中のダイオキシン類常時監視-最近の測定技術動向とその活用について」Ｖｏｌ．３９ Ｎｏ．１３ ｐ．１２０〜１２６
【発明の概要】
【発明が解決しようとする課題】
【０００６】
しかしながら、非特許文献１に示されている技術では、直接的に前駆物質の常時測定が可能であってもガスクロマトグラフィーといった高価な分析機器が必要である。また、排ガス中のダイオキシン類の長期間サンプリングを行う方法でもダイオキシン類の平均濃度を確定するのに３週間程度を要するため、その間のダイオキシン類を監視することはできない。
【０００７】
本発明は、上記事情に鑑みなされたものであり、排ガス中のダイオキシン類の排出をより経済的且つ簡易に制御可能な廃棄物焼却システムを提供することを目的とする。
【課題を解決するための手段】
【０００８】
本発明者らの鋭意検討の結果、ダイオキシン類濃度は塩化水素濃度の測定値と相関を示さないが、塩化水素濃度の平均値と高い相関を示すとの知見が得られた。さらに、両者の間には、一定期間のタイムラグがあることが見出された。
かかる知見に基づいて提供される本発明の実施の形態に係る廃棄物焼却システムは、集塵手段と、該集塵手段の上流側に設けられた処理剤を供給する処理剤供給手段と、排ガス中の塩化水素濃度を連続的に測定する塩化水素濃度測定手段と、処理剤の供給を制御する処理剤供給制御手段と、を備える廃棄物焼却システムにおいて、処理剤は排ガス中のダイオキシン類を吸着させる機能を有する吸着剤を含み、処理剤供給制御手段は、塩化水素濃度の平均値に基づいて処理剤が増量される期間を制御することを特徴とするものである。
【０００９】
また、処理剤供給制御手段は、平均値が塩化水素濃度の平均値上限を超えた場合に、処理剤を増量することを特徴とする。
【００１０】
また、処理剤が増量される期間は、前記平均値とダイオキシン類濃度とに基づき予め定められることを特徴とする。
【００１１】
処理剤が増量される期間は、平均値とダイオキシン類濃度との相関に基づき予め定められることを特徴とする。
【００１２】
相関は、平均値と排ガス中またはばいじん中の少なくとも一方のダイオキシン類濃度との相関に基づくものであることを特徴する。
【００１３】
平均値は、３０分以上３日以下の塩化水素濃度の測定データの平均値であることを特徴とする。
【発明の効果】
【００１４】
本発明によれば、排ガス中のダイオキシン類の排出をより簡易な手法で制御することが可能であり、ひいては排出される処理剤の量を削減可能な破棄物焼却システムを提供できる。
【図面の簡単な説明】
【００１５】
【図１】廃棄物焼却システムを表す概略図である。
【図２】吸着剤供給制御方法を示す図である。
【図３】高塩素焼却物による排ガス中の塩化水素濃度への影響を示す図である。
【図４】高塩素焼却物による塩化水素濃度平均値（１時間平均値）の挙動を示すグラフである。
【図５】排ガス中のダイオキシン類濃度と排ガス中の塩化水素濃度（２４時間平均値）の相関を示す図である。（ａ）はダイオキシン類濃度と４日前の塩化水素濃度との相関を、（ｂ）はダイオキシン類濃度と前日の塩化水素濃度との相関を示す。
【図６】ばいじん中のダイオキシン類濃度と排ガス中の塩化水素濃度（２４時間平均値）の相関を示す図である。（ａ）はダイオキシン類濃度と４日前の塩化水素濃度との相関を、（ｂ）はダイオキシン類濃度と前日の塩化水素濃度との相関を示す。
【図７】排ガス中の塩化水素濃度（２４時間平均値）と排ガス中及びばいじん中のダイオキシン類濃度との各相関係数の関係を示すグラフである。
【図８】排ガス中とばいじん中のダイオキシン類濃度の相関を示す図である。
【図９】塩化水素濃度の平均値とダイオキシン類濃度（予測値）のタイムラグと吸着剤増量期間の関係を示すイメージ図である。
【図１０】中和剤供給制御方法を示す図である。
【図１１】ダイオキシン類抑制概念図である。
【発明を実施するための形態】
【００１６】
本発明の一実施形態に関わる排ガス中のダイオキシン類を制御可能な廃棄物焼却システムの概要について図面を用いて説明する。
【００１７】
図１は、本発明の一実施形態に係る廃棄物焼却システム１０の系統を示す概略図である。なお、点線の矢印（図１中の１１−６間、および６−７間）は排ガス処理手段による処理剤の供給およびばいじんの排出経路を示す。また、太矢印（図１中の１２−２０−１１間）は、排ガス中の塩化水素濃度のデータを測定、演算処理し、処理剤供給装置１１を制御する信号経路を示している。
【００１８】
受入ホッパー１に投入される被焼却物については、通常、事前に高い塩素含有がないか確認されるが、実際の搬入時にも、サンプルを採取して高濃度の塩素含有がないか、確認することが求められる。もし、高塩素濃度が確認された場合には、当該被焼却物を受け入れない措置が取られる。但し、受入量が少なく全体の焼却処理量に対して影響が少ないと判断された場合はこの限りではない。
【００１９】
受入ホッパー１に投入された被焼却物は１次燃焼炉２に送られる。そして、１次燃焼炉２内のガス温度が８５０℃以上に保たれるとともに、一酸化炭素濃度瞬間測定値（５秒毎）が測定され、当該濃度が１００ｐｐｍ以下となるように運転管理することにより、ダイオキシン類の分解促進が図られる。なお、該一酸化炭素濃度の測定は１次燃焼炉２以降のいずれの場所において行われてもよく、例えば後述する煙突９において、塩化水素ガス濃度の測定と併せて行われても良い。
１次燃焼炉２から２次燃焼炉３は配管で接続されており、２次燃焼炉３の出口燃焼ガス温度も８５０℃以上を維持しながら配管により２次燃焼炉内のガスは廃熱ボイラー４に送られる。廃熱ボイラー４では、排ガスから熱を回収し、急冷塔（減温処理）５で１９０℃以下に急冷され、ダイオキシン類の再合成を防止する。
【００２０】
急冷塔５より排出されたガスは粉じんが含まれた状態で配管を通り、集塵機６の上流側に送られる。当該ガスには、塩化水素ガスの他、ダイオキシン類などの有害物質が再合成されるている可能性があるため、常時、集塵機６に取り付けられた処理剤供給装置１１より、一定量処理剤が供給される。
処理剤としては、塩化水素ガス等の酸性ガス成分を中和させるためには、中和剤となるアルカリ薬剤（例えば、消石灰、重曹）が用いられるとともに、ダイオキシン類を吸着させるためには、吸着剤（例えば、活性炭、人工ゼオライト）を用いる。なお、本明細書では消石灰および活性炭を主に取り上げ記載するが、これらに限定されるものではない。
【００２１】
処理剤としては、予め中和剤と吸着剤を所定の割合で混合したものを用いることができる。この場合、処理剤供給装置を１つとすることが可能となり、システムの簡素化を図ることができる。また、別の態様としては、中和剤と吸着剤を混合せずに用いることもできる。この場合、供給装置はそれぞれに対し必要となり２つとなるが、各供給量、供給期間、増量始期等を独立して管理できるというメリットを有する。特に、本発明は、塩化水素ガス濃度は中和剤投入により比較的短時間で低減するのに対し、ダイオキシン類濃度は塩化水素ガスが低減した後でも時間差をおいて増加する傾向があるという新たな知得に基づくものであり、両処理剤をそれぞれ有効なタイミング及び／又は期間、増量するように独立に制御し得ることは大きな効果を奏するものである。
【００２２】
集塵機６においては、上流側から入った粉じんを含むガスがバグフィルターにより集塵ろ過される。粉じんは下流側に設けられたばいじん回収容器７に充填回収され、外部委託先によって処理される。集塵機６に送入されるガスの中には、硫黄酸化物、窒素酸化物、塩化水素等の酸性ガスが含まているが、これらは中和剤により中和され、またダイオキシン類などは吸着剤により吸着され、ばいじん回収容器７に充填回収される。
【００２３】
集塵機６で処理後のガスは、誘引送風機８により配管を通して煙突９に送られ系外に排出される。煙突９の中段には塩化水素ガス測定装置１２が設置されており、塩化水素濃度の連続測定を行う。
なお、塩化水素ガス測定装置１２の設置場所は煙突９に限られず、急冷塔（減温処理）５以降のいずれの場所に設置してもダイオキシン類発生量を予測する上で特段の支障はない。しかしながら、系外に排出される塩化水素ガスを測定するために設置される塩化水素ガス測定装置で取得されるデータを用いることがシステムの簡素化の面で好ましい。具体的には、処理剤による中和後の塩化水素ガス濃度を測定可能な集塵機以降（集塵機を含まない。）に塩化水素測定装置を設置することが好ましい。
【００２４】
塩化水素ガス測定装置１２は、従来の吸引式ガス濃度モニターよりも応答速度が最短で約２秒程度と高速であるだけでなく、サンプリング装置が不要で測定ポイントに直付け出来るため、リアルタイムでの濃度測定が可能なレーザー式ガス分析計であることが好ましい。
塩化水素ガス測定装置１２では、常時、塩化水素濃度が所定の間隔で測定される。塩化水素ガス濃度は、例えば瞬間値として２秒毎に測定されるが、これに限られない。ただし、あまり測定間隔が短いとデータ取扱い上負荷が大きくなるので、１秒毎以上が好ましい。なお、瞬間値と測定値は基本的に同じものであるが、主に平均値に対応する用語として瞬間値という用語を用いている。
【００２５】
処理剤供給制御装置２０は、塩化水素ガス測定装置１２と処理剤供給装置１１とを連動させる、内部に演算手段が具備された装置である。
処理剤供給制御装置２０は、ダイオキシン類を抑制するために処理剤供給装置１１から集塵機６に供給される吸着剤の量および供給期間を制御する機能と、塩化水素ガス等を抑制するために処理剤供給装置１１から集塵機６に供給される中和剤の量および供給期間を制御する機能を有する。なお、処理剤供給装置１１は、各機能に応じ個別に設けてもよいが、処理剤として混合剤を用いる場合は、ダイオキシン類または塩化水素ガスのどちらか一方に対し処理剤を混合して供給制御する。また、吸着剤および中和剤の各量は、重量、質量、供給速度等のいずれの単位、概念で規定してもよい。
以下、処理剤供給制御装置２０の備える２つの機能について詳細に説明する。
【００２６】
＜処理剤供給制御装置２０のダイオキシン類抑制機能＞
はじめに、本発明の実施形態によるダイオキシン類抑制方法の概要を説明する。
本発明は、予め塩化水素濃度とダイオキシン類濃度を測定し、両者の相関から求められる増量期間を用いることにより、実際に業務として焼却処理を行う実運転（以下、「実運転」という。）時は塩化水素濃度の測定のみからダイオキシン類濃度の抑制を可能とするものである。図１１の概念フローを参照し説明すると、実運転前に、予め塩化水素濃度とダイオキシン類濃度を事前測定する。このうち塩化水素濃度については平均化処理（平均値算出）を行い、平滑化された塩化水素濃度の経時変化を求める。そして、平滑化された塩化水素濃度とダイオキシン類濃度との相関処理を介して求められる増量期間を実運転時のための規定値として設定する。なお、増量期間の詳細については後述する。実運転時には増量期間を含む規定値を利用し、処理剤供給制御装置２０により吸着剤量の制御を行うことで、実運転時に測定される塩化水素濃度のみからダイオキシン類の発生を抑制させることが可能となる。
【００２７】
続いて、実運転に際し処理剤供給制御装置２０に予め格納しておく規定値ついて詳述する。
処理剤供給制御装置２０には、吸着剤通常量、予め定めた塩化水素濃度測定値を平均化する期間（以下「平均化期間」という場合もある。）、吸着剤が増量される期間（以下「増量期間」という場合もある。）、予め設定した塩化水素濃度の平均値上限、増量される吸着剤の量の各情報が規定値として格納される。
【００２８】
吸着剤通常量とは、定常的に集塵機６に供給する吸着剤の量である。どのような廃棄物焼却場においても、ある程度の塩化水素ガスやダイオキシン類が発生する可能性があるので、予め一定量の吸着剤を常時供給することで、不測の事態に対処する。この量が多ければダイオキシン類の系外への散逸の危険性は下げられるが、一方で処理すべきばいじんの量が増大するため、コストの面で適当でない。よって、最適と考えられる量を予め設定しておく。吸着剤通常量は各焼却システムに依存する固有の値であるので、システムに応じ設定される。
なお、一定量の吸着剤を常時供給しない廃棄物焼却システムにおいては、吸着剤通常量は不要またはゼロに設定すれば良い。
【００２９】
塩化水素濃度測定値を平均化する期間とは、測定された塩化水素濃度瞬間値の平均値を算出する際の平均化期間である。発明者らは、ダイオキシン類濃度と塩化水素濃度瞬間値との相関は低いが、平均値とは相関を示すことを見出した。これは、塩化水素濃度測定値は短時間での変動が激しいため、長周期変動を示すダイオキシン類濃度測定値とそのまま比較するには適していないことによると考えられる。
平均値を求めるための平均化期間は、短いと塩化水素濃度の短周期の影響が強く出てしまうため、少なくとも３０分以上が好ましく、さらに好適には１時間以上が適している。また、あまり長いと良好な相関を得にくくなるため、少なくとも３日以下、好適には２日以下が適している。特に、実際の焼却作業のルーチン周期に合わせることが好ましく、例えば２４時間ルーチンで焼却作業を行う場合においては、２４時間平均が最適となる。例えば作業員が８時に交替する場合、前日の８時から当日の８時までの２４時間平均値を使用する。あるいは、作業員の交替時間とは関係なく、前日の０から２４時までの２４時間平均値を使用しても良い。
なお、ダイオキシン類抑制対策のためだけであれば、塩化水素濃度の測定間隔を数秒とする必要はなく、例えば平均化期間に応じ１０分程度とすることも可能である。
【００３０】
次に吸着剤の増量期間について説明する。
本発明者の鋭意努力により、両パラメータ（ダイオキシン濃度と塩化水素濃度の平均値）の相関には数日間のタイムラグがあり、塩化水素濃度の平均値が高まった後にダイオキシン類濃度が上昇するとの知見が得られた。この理由は明らかではないが、一つの要因としてダイオキシンの再合成に数日間を要するものがあることが挙げられる。また、他の要因としては、配管や集塵機などに付着したダイオキシン類等が、数日後に剥離されている可能性も否定できない。いずれにしろ、このタイムラグを利用すれば、塩化水素濃度測定値（平均値）に基づき効果的にダイオキシン類の抑制を図ることが可能となる。よって、少なくともこのライムラグを上回る期間を吸着剤の増量期間として設定し、当該期間に亘、処理剤供給装置１１から集塵機６に吸着剤を供給する。なお、このタイムラグは各廃棄物焼却システム固有の特性である可能性があるため、各廃棄物焼却システムにおいて予め求めておく。
具体的には、吸着剤の増量期間に関する情報を得るために、塩化水素ガス濃度とともに、煙突９から排出されるガスに含まれるダイオキシン類濃度または集塵機６の下流側のばいじん回収容器７により回収されるばいじんに含まれるダイオキシン類濃度の少なくとも一つを予め測定する（図１１における「事前測定」）。なお、塩化水素濃度については、ダイオキシン類濃度の測定日より充分先行する形で測定することが肝要である。少なくとも５日前、好適には１週間以上前から塩化水素濃度を測定しておくことが望ましい。
次いで、設定した平均化期間ごとの塩化水素濃度の平均値を算出し、当該平均値の経時変化を求める（同図における「塩化水素濃度平均値算出」。続いて、時間関数としての平均値とダイオキシン類濃度測定値との相関を計算し（同図における「相関処理」）、両者間のタイムラグを求める。最後に、算出されたタイムラグに適宜安全率となる期間を加算し、吸着剤の増量期間とする。
【００３１】
続いて、処理剤供給制御装置２０によるダイオキシン類抑制機能の制御の流れを説明する。図２は制御の流れを示す一例であり、同図を参照しながら説明する。
処理剤供給制御装置２０は、塩化水素ガス測定装置１２で測定される塩化水素ガス濃度の平均値が上昇し、予め設定した塩化水素濃度の平均値上限を上回った場合に、自動的に処理剤供給装置１１から集塵機６に投入される吸着剤が、予め設定した増量される吸着剤の量に応じ増量されるように処理剤供給装置１１を制御する。なお、吸着剤を増量する方法としては、１回の投入量を増量する方法、投入頻度を増やす方法、あるいはそれらを組合わせた方法等、各種の運転条件の変更による方法がある。
吸着剤は、予め設定した吸着剤の増量期間が経過するまで増量状態を維持する（図２における「吸着剤増量処理」）。そして、増量期間経過後、測定された塩化水素濃度の平均値が平均値上限を下回ることが確認できた場合、吸着剤を減量する（図２における「吸着剤減量処理」）。例えば、減量量を増量量と同量とすることで、予め設定した吸着剤の通常量に戻るが、減量量を増量量より小さくすることで段階的に通常量に戻すことも可能である。
【００３２】
なお、吸着剤の増量期間中に再度、塩化水素ガス濃度の所定期間平均値が当該上限値を上回った場合に、その時点からさらに増量期間と同等の期間、処理剤の増量期間を延長させること、当該場合にさらに追加的増量を行うこと、これらを組み合わせること等は、安全サイドからみた場合に有効な一つの実施態様である。
これら平均値上限および増量される吸着剤の量は、任意の値とすることができ、例えば１２０ｐｐｍとすることが挙げられる。また、実際に高塩素濃度の焼却物を人為的に投入し、平均値上限や吸着剤の投入量を複数パターン変更する実験を試みることで、より適した値とするすることができる。
なお、処理剤供給制御装置２０は、塩化水素ガス測定装置１２または処理剤供給装置１１と一体化した装置としてもよい。
【００３３】
＜処理剤供給制御装置２０の塩化水素濃度抑制機能＞
処理剤供給制御装置２０には、中和剤通常量、予め設けた塩化水素ガス濃度の瞬間値上限、中和剤増量量の各情報が格納される。
中和剤通常量は、定常的に集塵機６に供給する中和剤の量である。
予め設けた塩化水素ガス濃度の瞬間値上限は、各処理施設ごとに自主設定している塩化水素ガス濃度である。
中和剤増量量は、測定された塩化水素ガス濃度が塩化水素ガス濃度瞬間値上限を上回った際に増量される中和剤の量である。
ダイオキシン類抑制対策時と異なり、塩化水素ガスは中和剤との反応が速いため、塩化水素ガス濃度測定値が塩化水素ガス濃度瞬間値上限を上回ったことが確認され次第、中和剤を増量すれば、速やかに塩化水素ガスの低減を図ることができる。
また、中和剤増量状態の終期は、塩化水素ガス濃度の測定値が瞬間値上限を下回った時点と設定することに十分効果を奏することができる。図１０に中和剤供給の制御方法の一態様をＰＡＤ図にて示す。
【００３４】
また、当該瞬間値上限としては、ダイオキシン類抑制対策を目的とした塩化水素濃度の平均値上限と異なる値とすることも可能である。一般に平均値は、瞬間値のバラツキが平滑化されるため、瞬間値上限は平均値上限より高い値となる。
【００３５】
以上を整理すると、塩化水素ガス抑制対策のためには、短周期の影響が残る塩化水素ガス濃度測定データ（瞬間値）に基づき、中和剤の増量始期、終期を定める。一方、ダイオキシン類抑制対策のためには、短周期の影響が除去されているデータ（平均値）に基づき、吸着剤剤の増量始期、終期を定める。特に、終期は塩化水素濃度平均値とダイオキシン類濃度との相関に基づき定めることを特徴とする。
なお、中和剤と吸着剤の混合された処理剤を用い、塩化水素ガス濃度およびダイオキシン類の両成分を抑制することを目的とする場合には、図２および図１０に示した両制御方法を適宜組合わせれば良い。
【実施例】
【００３６】
以下、ダイオキシン類が再合成された場合でも、ダイオキシン類濃度が規定値を上回らないよう制御することが可能となる本発明の実施の形態に関わる廃棄物焼却システムついてさらに実施例に基づき説明する。
【００３７】
はじめに本実施例で使用された廃棄物焼却システムで行われているダイオキシン類が発生する原因となる高塩素濃度焼却物の受け入れ制限について説明する。本実施例で使用した廃棄物焼却システムでは、高い塩素含有量の焼却物処理物を受け入れないよう被焼却物の全案件につき、受け入れ前の塩素含有量測定を可能な限り実施した。
【００３８】
本廃棄物焼却システムでは、受け入れ前と受け入れ時の２回、塩素濃度を調査した。受け入れ前は、排出事業者から情報提供してもらうか、事前に試料を提供してもらい塩素濃度を測定した。測定作業については、液状物と固形物により異なる。液状物については、ｐＨ試験紙で測定するが、油分などの影響でｐＨ試験紙では測定不可能な場合は、油分を燃焼させて残った水分のｐＨを測定した。測定紙がｐＨ３以下を示した場合は廃棄物焼却システムで処理する廃棄物としては塩素濃度が高すぎると判定し、原則受け入れ不可とした。固形物の場合、焼却物発生事業所等からの情報により塩素が含まれているか事前に情報提供をお願いした。塩素１ｗｔ％の場合には原則として受け入れ不可とした。但し、受入量が少なく全体の焼却処理量に対して影響が少ないと判断された場合は除いた。
【００３９】
本実施例では、図１に記載された廃棄物焼却システムを用いた。ただし、本実施例における処理剤供給量は一定とし、実験途中で処理剤の増量、減量は行わなかった。また、焼却処理物の焼却は、焼却処理工程の１次燃焼炉２では炉内燃焼ガス温度を８５０℃以上に保ち、２次燃焼炉３までの出入口温度も８５０℃以上に維持するように行うとともに、滞留時間を２秒以上確保させた。
各燃焼炉の燃焼ガス温度を確認した結果、２次燃焼炉３出口まではダイオキシン類は生成されないと考えられ、さらに過熱残渣を分析した結果、全て検出限界以下であり無害化されていることを確認できた。また二次燃焼炉内のライニング及び付着物についても調査したが、ダイオキシン類及び塩素は検出限界以下であった。
【００４０】
調査結果からダイオキシン類は、廃熱ボイラー４から急冷塔５までの減温処理工程付近にて再合成されると推定された。
【００４１】
廃棄物焼却システムに投入された高塩素焼却物由来の塩化水素ガスは、集塵機６の誘因送風機８を通して排出されるガスを煙突９中段の塩化水素ガス測定装置１２により常時監視した。ここでは京都電子製レーザー式ガス分析計（型式名ＫＬＡ）を使用し、瞬間値の測定間隔は２秒に設定した。
【００４２】
処理剤には、秩父石灰工業株式会社の高反応性消石灰（活性炭１５%配合）、平均粒径８μｍ、ＢＥＴ４５ｍ2／ｇ、細孔容積０.２ｃｍ2／ｇ、ＣａＯ≧７２.５％を用いた。当該処理剤は塩化水素及びダイオキシン類を抑制する性能を有する。
【００４３】
供給される処理剤の量は、２.４ｋｇ／ｈとした。この内、消石灰供給量は２.０ｋｇ／ｈ、活性炭は０.４ｋｇ／ｈであった。この時の排ガス中の塩化水素は１００ｐｐｍ程度、二酸化硫黄は１５ｐｐｍ程度で推移した。投入された消石灰がすべて反応していたものと仮定すると、投入された汚泥に起因する塩化水素は１７７ｐｐｍと推定された。
【００４４】
本実施例では、高塩素焼却物として、塩素を４〜５%程度含むと考えられる汚泥を午前８:００〜１１:００、午後０１:００〜４:００の２回投入し、意図的に排ガスの塩化水素濃度を高め、処理剤供給制御装置２０および処理剤供給装置１１が、自主設定した塩化水素濃度瞬間値上限２００ppmを超えた場合に的確に作動するか検証した。
【００４５】
処理剤供給装置１１はゲートバルブ及び電動ロータリーバルブにより供給量制御を行っている。本実施例では、予め検証されていた通常運転時の４秒運転-６０秒停止の間欠運転を基本としとしていたが、処理剤供給制御装置２０が塩化水素濃度が塩化水素濃度瞬間値上限の超過を検知すると運転条件が切り替えられ、１６秒運転−３０秒停止の間欠運転に変更される設定とした。
【００４６】
図３に塩化水素濃度の経時変化を示す。図３の通り、午前中の塩素を含む汚泥投入開始後、３０分後には排ガス中の塩化水素濃度が上昇を始め２００ｐｐｍを超えると、処理剤供給制御装置２０が処理剤供給装置１１を制御し処理剤が増加供給され、数秒後には２００ｐｐｍ以下となった。この動作は３回発生した。午後は午前中とは異なり、塩素を含む汚泥投入開始後１時間３０分を過ぎてから塩化水素濃度が上昇し、計１９回２００ｐｐｍ以上を検知したが、処理剤増量供給効果により、いずれも４５秒以内には２００ｐｐｍ以下となる挙動を繰り返した。したがって、塩化水素濃度の上昇に対して、当該処理剤供給制御装置２０および処理剤供給装置１１で対応可能であることが確認できた。
【００４７】
図３の２秒ごとの瞬間値データを図４のように１時間ごとの平均値とすると当該処理剤の効果を容易に確認できる。したがって、１時間平均値を監視することで排ガス中の塩化水素濃度を監視制御することも可能である。但し、瞬間値を平滑化した値であるため、上限値は瞬間値よりも低く、例えば１２０ｐｐｍとすることが望ましい。
【００４８】
また本実施例では、排ガス中のダイオキシン類濃度とばいじん中のダイオキシン類濃度の測定を計７回行った。測定は外部分析機関により、排ガス中のダイオキシン類濃度の測定はＪＩＳＫ０３１１「排ガス中のダイオキシン類の測定方法」に従い、ばいじん中のダイオキシン類濃度の測定は、ダイオキシン類対策特別措置施行規則第二条二項第一号の規定に基づき環境大臣が定める方法を用いて行われた。
【００４９】
次いで、排ガス及びばいじん中のダイオキシン類測定値と、塩化水素濃度の２４時間平均値との相関係数Ｒを求めた。なお、塩化水素濃度の２４時間平均値は前日の平均値から５日前の平均値までの５種類の平均値を求め、各平均値に対し、ダイオキシン類測定値との相関係数Ｒを求めた。この結果を表１に纏めるとともに、排ガス中のダイオキシン類測定値と前日および４日前の塩化水素濃度平均値との相関係数の関係を示すグラフを図５に、ばいじん中のダイオキシン類測定値と前日および４日前の塩化水素濃度平均値との相関係数の関係を示すグラフを図６に示した。
【００５０】
【表１】
2020179353.tif 000003
【００５１】
また、表１のデータを用い、横軸を日にち、縦軸を相関係数Ｒとしてダイオキシン類濃度と塩化水素濃度平均値との関係をグラフにすると、図７のように４日前をピークに高い相関が見られるが、５日前には測定日前日程度の相関係数Ｒになることが分かった。すわなち、排ガス中のダイオキシン類濃度と２４時間平均化後の塩化水素濃度の相関には４日間のタイムラグあることを確認した。そこで、処理剤の増量期間は少なくとも４日以上、安全率を考慮し、５日以上とした。なお、このタイムラグは各廃棄物焼却システムに依存する値であるので、各システムごとに予め求めておく必要がある。
また、ダイオキシン類濃度と塩化水素濃度との相関関係は、排ガス中およびばいじん中のいずれのダイオキシン類濃度においても同様に認められた。排ガス中とばいじん中の両者のダイオキシン類濃度の相関は、図８に示すように高いものであった（相関係数Ｒ＝０．８９１１）。
【００５２】
これらの結果より、塩化水素濃度に基づきダイオキシン濃度の抑制対策を行うための情報（相関に基づく情報）を得るためには、排ガス中のダイオキシン類濃度測定値でも、ばいじん中のダイオキシン類濃度測定値でも用いることができるとの知見が得られた。
【００５３】
今回の実験に使用した廃棄物焼却システムにおいては、通常操業時、処理剤２.４ｋｇ／ｈ（消石灰に活性炭を１５％配合した中和剤と吸着剤の混合剤）を供給して塩化水素濃度を常時監視したが、前述の予め行った相関関係に基づくタイムラグ情報の結果に基づき、前日０時から２４時までの塩化水素濃度２４時間平均値が事前に設定した平均値上限（例えば１２０ｐｐｍ）を超過したことを確認した日から、タイムラグを考慮して相関関係がなくなると予測される５日後まで処理剤の増量を維持した。尚、瞬間値として２秒毎の塩化水素濃度の測定データが瞬間値上限２００ｐｐｍを超えた場合については別途自動的に処理剤を増量するシステムとすることで、塩化水素濃度の上昇にも対応することができた。
【００５４】
排ガス中の塩化水素濃度の平均値が平均値上限を超えた後、上昇すると予測されるダイオキシン類濃度のタイムラグをイメージ化すると図９のようになる。塩化水素濃度の瞬間値が上限値を超えた時点であって、まだ塩化水素濃度平均値が平均値上限を超えていない時点Ａでは、消石灰など酸性ガス成分を中和させる中和剤が直ちに増量される。また塩化水素濃度の平均値が平均値上限を超えた時点Ｂで、ダイオキシン類等を吸着させるための吸着剤を増量する。そして、イメージではあるがダイオキシン類濃度と塩化水素濃度平均値の相関関係がなくなる時点Ｃ（本実施例では５日後）まで供給を継続する。
【産業上の利用可能性】
【００５５】
我が国においてはダイオキシン類の排出規制に伴い、基準を満たせない既設炉には高度処理技術を備えた焼却設備および排ガスの処理設備が設置され、排出基準値が達成されているが、その投資額は廃棄物焼却システムを有する廃棄物処分事業者にとって大きな負担となっている。本廃棄物焼却システムによれば、導入費用および維持費用を安く抑えれるとともに、排出される処理剤の量を削減できるので、専用の廃棄物焼却施設のみならず、ダイオキシン類の発生が予想される生産システムの一部としても利用可能である。
【符号の説明】
【００５６】
１・・・受入ホッパー、２・・・１次燃焼炉、３・・・２次燃焼炉、４・・・廃熱ボイラー、５・・・急冷塔（減温処理）、６・・・集塵機、７・・・ばいじん回収容器  ８・・・誘引送風機、９・・・煙突、１０・・・廃棄物焼却システム全体、１１・・・処理剤供給装置、１２・・・塩化水素ガス測定装置、２０・・・処理剤供給制御装置
【図１】
2020179353.tif 000004
【図２】
2020179353.tif 000005
【図３】
2020179353.tif 000006
【図４】
2020179353.tif 000007
【図５】
2020179353.tif 000008
【図６】
2020179353.tif 000009
【図７】
2020179353.tif 000010
【図８】
2020179353.tif 000011
【図９】
2020179353.tif 000012
【図１０】
2020179353.tif 000013
【図１１】
2020179353.tif 000014